(57)【要約】      （修正有）【課題】耐久性を向上するとともに、保守の容易性を実現できる液晶表示装置を提供する。【解決手段】液晶表示装置１は、保護板４と、保護板４の下面に、その一部が固定された粘着シート５と、液晶表示パネル１０を有する、保護板４の下に配置された液晶表示モジュール６と、液晶表示モジュール６を保持する保持部材３０と、を有し、粘着シート５は、保護板４の下面４ａに固定される領域である固定領域５ａと、固定領域５ａから、保持部材３０の隣に延びる取付領域５ｂと、取付領域５ｂに形成された孔５ｃと、を有し、保持部材３０はフック３３を有し、孔５ｃがフック３３に掛止されることにより、保護板４と液晶表示モジュール６が保持部材３０に保持される。【選択図】図３
2014115588.tif 000002
【特許請求の範囲】
【請求項１】
保護板と、
前記保護板の下面に、その一部が固定された粘着シートと、
液晶表示パネルを有する、前記保護板の下に配置された液晶表示モジュールと、
前記液晶表示モジュールを保持する保持部材と、を有し、
前記粘着シートは、
前記保護板の下面に固定される領域である固定領域と、
前記固定領域から、前記保持部材の隣に延びる取付領域と、
前記取付領域に形成された孔と、を有し、
前記保持部材はフックを有し、
前記孔が前記フックに掛止されることにより、前記保護板と前記液晶表示モジュールが前記保持部材に保持されることを特徴とする液晶表示装置。
【請求項２】
請求項１に記載の液晶表示装置において、
前記取付領域が前記保持部材の一部に接着されることを特徴とする液晶表示装置。
【請求項３】
請求項１または請求項２に記載の液晶表示装置において、
前記保持部材が、前記液晶表示モジュールと前記取付領域の間において上方に突出する突出部を有し、
前記突出部の上面が、前記固定領域の下面に接着されることを特徴とする液晶表示装置。
【請求項４】
請求項１乃至３のいずれか一項に記載の液晶表示装置において、
前記液晶表示モジュールの上面が前記保護板の下面に接着され、
前記固定領域は、前記保護板の下面のうち、前記液晶表示モジュールの上面の外周と前記取付領域との間に配置されることを特徴とする液晶表示装置。
【請求項５】
請求項１乃至３のいずれか一項に記載の液晶表示装置において、
前記粘着シートが、前記液晶表示モジュールの上面と前記保護板の下面の間に配置されることを特徴とする液晶表示装置。
【請求項６】
請求項１乃至５のいずれか一項に記載の液晶表示装置において、
前記保持部材は、
樹脂フレームと、
前記樹脂フレームを収納する下フレームと、を有し
前記フックは、前記下フレームに形成されていることを特徴とする液晶表示装置。
【発明の詳細な説明】
【技術分野】
【０００１】
本発明は液晶表示装置に関する。
【背景技術】
【０００２】
コンピュータ等の情報通信端末やテレビ受像機の表示デバイスとして、液晶表示装置が広く用いられている。液晶表示装置は、液晶表示パネルの２つの基板の間に封じ込められた液晶分子の配向を変化させることにより、バックライトから液晶表示パネルに照射された光の透過度合いを変化させて画像を表示させている。近年、液晶表示装置は、特に携帯電話やスマートフォンに利用されており、その耐久性の向上、保守の容易性が要求されている。
【０００３】
液晶表示パネルなどの液晶表示モジュールを有する液晶表示装置としては、液晶表示パネルが両面テープ等によってバックライトのフレーム部分に固定された構成や、フレームなど保持部材の上面が両面テープによってカバーガラスに固定された構成が周知技術として知られている。また、特許文献１には、保護板の下面と液晶パネルの側面と導光板の上面とが硬化型の接着剤により覆われた構成が開示されている。
【先行技術文献】
【特許文献】
【０００４】
【特許文献１】特許４５７５４８６号公報
【発明の概要】
【発明が解決しようとする課題】
【０００５】
しかし、保持部材が液晶表示モジュールやカバーガラスに両面テープ等によって固定された従来の構成は、液晶表示装置に衝撃が加わることにより、保持部材や液晶表示モジュールが両面テープから剥がれる等、耐久性低下のおそれがある。また、特許文献１に記載の液晶表示装置は、液晶表示モジュールを構成する各部材が互いに接着剤により固定されているため、これらを個々の部材に分解することが困難である。このため、容易に保守をすることができない。
【０００６】
本発明は、このような事情に鑑みてなされたものであって、液晶表示装置の耐久性を向上するとともに、保守の容易性を実現することを目的とする。
【課題を解決するための手段】
【０００７】
（１）本発明の液晶表示装置は、保護板と、前記保護板の下面に、その一部が固定された粘着シートと、液晶表示パネルを有する、前記保護板の下に配置された液晶表示モジュールと、前記液晶表示モジュールを保持する保持部材と、を有し、前記粘着シートは、前記保護板の下面に固定される領域である固定領域と、前記固定領域から、前記保持部材の隣に延びる取付領域と、前記取付領域に形成された孔と、を有し、前記保持部材はフックを有し、前記孔が前記フックに掛止されることにより、前記保護板と前記液晶表示モジュールが前記保持部材に保持されることを特徴とする。
【０００８】
（２）本発明の液晶表示装置は、（１）において、前記取付領域が前記保持部材の一部に接着されていてもよい。
【０００９】
（３）本発明の液晶表示装置は、（１）または（２）において、前記保持部材が、前記液晶表示モジュールと前記取付領域の間において上方に突出する突出部を有し、前記突出部の上面が、前記固定領域の下面に接着されていてもよい。
【００１０】
（４）本発明の液晶表示装置は、（１）乃至（３）のいずれか一項において、液晶表示モジュールの上面が前記保護板の下面に接着され、前記固定領域は、前記保護板の下面のうち、前記液晶表示モジュールの上面の外周と前記取付領域との間に配置されてもよい。
【００１１】
（５）本発明の液晶表示装置は、（１）乃至（３）のいずれか一項において、前記粘着シートが、前記液晶表示モジュールの上面と前記保護板の下面の間に配置されてもよい。
【００１２】
（６）本発明の液晶表示装置は、（１）乃至（５）のいずれか一項において、前記保持部材は、樹脂フレームと、前記樹脂フレームを収納する下フレームと、を有し前記フックは、前記下フレームに形成されていてもよい。
【発明の効果】
【００１３】
本発明における液晶表示装置は、粘着シートの固定領域が保護板の下面に固定され、取付領域に形成された孔が、液晶表示モジュールを保持する保持部材のフックに掛止されることにより、保護板と液晶表示モジュールは、保持部材により保持される。このため、本構成を有さない液晶表示装置と比べて、液晶表示装置を構成する各部材が安定して固定され、その耐久性を向上させることができる。また、フックを孔から外すことにより液晶表示装置を個々の部材に分解できる。このため、本構成を有さない液晶表示装置と比べ、容易に保守を行うことができる。
【図面の簡単な説明】
【００１４】
【図１】図１は本発明に係る液晶表示装置の概略平面図である。
【図２】図２は本発明の第１の実施形態に係る液晶表示装置１を分解した概略斜視図である。
【図３】図３は図１に示す液晶表示装置のＩＩＩ−ＩＩＩ切断線における概略断面図である。
【図４】図４は第１の実施形態に係る粘着シートを下側から見た概略平面図である。
【図５】図５は図１に示す液晶表示装置のＶ−Ｖ切断線における概略断面図である。
【図６】図６は本発明の第２の実施形態に係る液晶表示装置のＩＩＩ−ＩＩＩ切断線に対応する切断線における概略断面図である。
【図７】図７は本発明の第３の実施形態に係る液晶表示装置のＩＩＩ−ＩＩＩ切断線に対応する切断線における概略断面図である。
【図８】図８は第３の実施形態に係る粘着シート及び液晶表示パネルを下側から見た概略平面図である。
【図９】図９は本発明の第４の実施形態に係る液晶表示装置のＩＩＩ−ＩＩＩ切断線に対応する切断線における概略断面図である。
【発明を実施するための形態】
【００１５】
以下、本発明の第１の実施形態に係る液晶表示装置１について図面に基づいて説明する。明細書中に出現する構成要素のうち同一機能を有するものには同じ符号を付し、その説明を省略する。なお、以下の説明において参照する図面は、特徴をわかりやすくするために便宜上特徴となる部分を拡大して示している場合があり、各構成要素の寸法比率などは実際と同じであるとは限らない。また、以下の説明において例示される材料等は一例であって、各構成要素はそれらと異なっていてもよく、その要旨を変更しない範囲で変更して実施することが可能である。
【００１６】
はじめに、本発明の第１の実施形態に係る液晶表示装置１について説明する。図１は本発明に係る液晶表示装置１の概略平面図であり、図２は本発明の第１の実施形態に係る液晶表示装置１を分解した概略斜視図である。本実施形態に係る液晶表示装置１は、保護板４と、粘着シート５と、液晶表示モジュール６と、保持部材３０と、を有している。
【００１７】
保護板４は例えばガラスや樹脂などの透光性の材料からなり、液晶表示モジュール６を保護するために設けられている。図１、２に示すように、保護板４は、表示領域Ｄの外周よりも大きい外周を有している。表示領域Ｄは、後述する液晶表示パネル１０が配置される領域に対応している。
【００１８】
次いで、図２と３を用いて保護板４より下の構成について説明する。図３は図１に示す液晶表示装置１のＩＩＩ−ＩＩＩ切断線における概略断面図である。
【００１９】
粘着シート５は、保護板４の下面４ａに固定される領域である固定領域５ａと、孔５ｃが設けられた取付領域５ｂとから構成されている。固定領域５ａは、その上面５ａ１に粘着性が付与されており、上面５ａ１が保護板４の下面４ａに貼り付けられることにより、保護板４の下面４ａに固定されている。また、取付領域５ｂは、固定領域５ａから保持部材３０の隣に延びるように形成されている。なお、粘着シート５の詳細な構成については、説明の便宜上、後述する。
【００２０】
本実施形態における液晶表示モジュール６は、タッチパネル８と、液晶表示パネル１０とバックライト２０とを有し、粘着シート５の固定領域５ａを介して保護板４の下に配置されている。
【００２１】
タッチパネル８は外部からの接触を感知する機能を有するパネルであり、保護板４の下に、粘着シート５の固定領域５ａを介して配置されている。タッチパネル８は例えば、ガラス基板等からなるタッチ基板と、透明な導電膜からなる電極と、透明な絶縁膜と、非導電性のスペーサとから構成されている。また、タッチパネル８の上面８ａには、例えば第１のフレキシブル回路基板２ａが設けられている。
【００２２】
液晶表示パネル１０は、例えば矩形の上偏光板１６と第１基板１２と第２基板１４と下偏光板１８とから構成されており、その上面（上偏光板１６の上面１６ａ）は、例えばＵＶ硬化樹脂や両面テープからなる第１接着層４１により、タッチパネル８の下面８ｂに固定されている。
【００２３】
第１基板１２は、例えばカラーフィルタ基板であり、図示しないカラーフィルタが設けられている。第２基板１４は、例えばＴＦＴ（Thin Film Transistor）基板である。第１基板１２と第２基板１４の間には、図示しない液晶が封止されている。また、第１基板１２の上側には上偏光板１６が貼り付けられ、第２基板１４の下側には下偏光板１８が貼り付けられている。
【００２４】
第２基板１４は、例えば、その長手方向の長さが、第１基板１２の長手方向の長さよりも長く形成されている。このため、第２基板１４の一部は基板１２と重なり合わず、一方向に突出する。この第２基板１４のうち、第１基板１２と重ならずに突出した一部の上面を上面１４ａとする。この上面１４ａには、例えば第２のフレキシブル回路基板２ｂと駆動ドライバ３が設けられている。
【００２５】
バックライト２０は、光学シート２６と発光素子２７と導光板２８と反射シート２９とから構成されている。光学シート２６は導光板２８の上側に配置され、発光素子２７は、導光板２８の側面に配置されている。また、導光板２８は、平面視で表示領域Ｄと重なるように配置されている。このような構成を有することにより、発光素子２７から導光板２８に入射した光は、面光源に変換される。
【００２６】
反射シート２９は、導光板２８の下側を覆うように配置されている。このような構成を有することにより、導光板２８に入射する光は反射シート２９で反射し、上側に出射される。
【００２７】
本実施形態における保持部材３０は、液晶表示モジュール６の下面を保持する部材であり、例えば、樹脂フレーム３１と下フレーム３２を有している。
【００２８】
樹脂フレーム３１は４辺を有する枠状であり、例えばモールド成形で形成された樹脂からなる。樹脂フレーム３１の内側には、光学シート２６と、導光板２８が収納されている。また、樹脂フレーム３１の１辺の内部には、発光素子２７を収納するための発光素子収納部３１ｂが設けられている。樹脂フレーム３１は、第２接着層４２により液晶表示パネル１０（下偏光板１８）に接着されている。第２接着層４２としては、第１接着層４１と同様に、例えば両面テープなどを用いることができる。
【００２９】
樹脂フレーム３１の上面のうち、外周側の領域である突出部３１ａは、液晶表示モジュール６と取付領域５ｂの間において上方に向けて突出している。樹脂フレーム３１に突出部３１ａが設けられていることにより、液晶表示パネル１０の側面は突出部３１ａにより囲まれ、衝撃などによる位置ずれが防がれる。
【００３０】
下フレーム３２は、例えば金属からなる箱状の部材であり、液晶表示モジュール６と樹脂フレーム３１が収納されている。樹脂フレーム３１の下面は、下フレーム３２の底面３２ａに覆われることにより、液晶表示モジュール６と樹脂フレーム３１の重量が下フレーム３２の底面３２ａに負荷される。
【００３１】
下フレーム３２の側面３２ｂは、樹脂フレーム３１の側面を覆っている。また、側面３２ｂの側面３２ｂには、例えばかぎ状のフック３３が形成されている。
【００３２】
以下、このフック３３と、先述した粘着シート５の取付領域５ｂについて、図３と図４を用いてその詳細を説明する。図４は第１の実施形態に係る粘着シート５を下側から見た概略平面図である。本実施形態における粘着シート５は、液晶表示モジュール６の上面（タッチパネル８の上面８ａ）と保護板４の下面４ａの間に固定領域５ａが配置されており、固定領域５ａの外側には、取付領域５ｂが形成されている。このような構成を有することにより、取付領域５ｂと固定領域５ａの境界５ｄを下方向に折り曲げることで、取付領域５ｂは、固定領域５ａから保持部材３０の隣に延びるように配置される。また、保持部材３０の一部（下フレーム３２の側面３２ｂ）は、保持部材３０の隣に延びた取付領域５ｂにより覆われる。
【００３３】
また、粘着シート５の固定領域５ａのうち、表示領域Ｄよりも外側の領域ＢＭは、黒色に着色されていることが好ましい。また、領域ＢＭの構成はこれに限られず、光の透過を防ぐのであれば、その他の構成であってもよい。
【００３４】
本実施形態における取付領域５ｂは、粘着シート５の固定領域５ａの短辺と２つの長辺にそれぞれ、第１の取付領域５ｂ１、第２の取付領域５ｂ２、第３の取付領域５ｂ３が設けられているが、取付領域５ｂの配置や数はここに挙げた例に限られない。なお、２以上の取付領域５ｂを設ける場合は、固定領域５ａの中心に対して対象となるように配置することが好ましい。そのように配置することにより、各取付領域５ｂに負荷される重量の偏りが防がれるためである。
【００３５】
図３に示すように、粘着シート５の取付領域５ｂ（第１の取付領域５ｂ１）の孔５ｃ（第１の孔５ｃ１）は、フック３３に掛止されている。このため、液晶表示モジュール６と保持部材３０の重量は、取付領域５ｂの孔５ｃに負荷される。そして、粘着シート５の固定領域５ａの上面５ａ１は保護板４の下面４ａに固定されているため、保護板４と液晶表示モジュール６は、粘着シート５により保持部材３０に保持される。
【００３６】
図５は図１に示す液晶表示装置１のＶ−Ｖ切断線における概略断面図である。粘着シート５の第２の取付領域５ｂ２の第２の孔５ｃ２と、第３の取付領域５ｂ３の第３の孔５ｃ３は、それぞれと第１の孔５ｃ１と同様にフック３３に掛止されている。
【００３７】
取付領域５ｂのうち、下フレーム３２の一部（側面３２ｂ）に接する領域である接触領域５ｅには、粘着性が付与されていることが好ましい。これにより、接触領域５ｅは側面３２ｂに接着される。また、接触領域５ｅが接着される部分は、側面３２ｂに限られず、保持部材３０の一部に接着されるのであれば、他の部分に接着されてもよい。
【００３８】
また、取付領域５ｂ全体に粘着性が付与されている粘着シート５を用いる場合は、接触領域５ｅ以外の領域に、例えば非粘着性のシートを貼り付けるなどして、非粘着性の領域を形成してもよい。
【００３９】
本実施形態における液晶表示装置１は、粘着シート５の固定領域５ａが保護板４の下面４ａに固定され、粘着シート５の取付領域５ｂの孔５ｃが、液晶表示モジュール６を保持する保持部材３０のフック３３に掛止される。このため、保護板４と液晶表示モジュール６は、保持部材３０により保持される。
【００４０】
本実施形態における液晶表示装置１は、液晶表示モジュール６等の重量が、本構成を有さない液晶表示装置と比べて、広い領域（粘着シート５の固定領域５ａ）により保持される。このため、本構成を有さない液晶表示装置と比べて、液晶表示装置１を構成する液晶表示モジュール６の液晶表示パネル１０や保持部材３０などの各部材が安定して固定される。このため、液晶表示装置１の耐久性の向上を実現させることができる。
【００４１】
また、本実施形態における液晶表示装置１は、孔５ｃがフック３３から外されることにより個々の部材に分解されるため、本構成を有さない液晶表示装置と比べ、容易に保守を行うことができる。さらに、液晶表示モジュール６の側面が取付領域５ｂで覆われていることにより、液晶表示装置１に外部から衝撃が加わったとしても、液晶表示パネル１０等の、取付領域５ｂの外側へのずれが防がれる。
【００４２】
また、本実施形態における液晶表示装置１は、下フレーム３２の側面３２ｂなど、保持部材３０の一部に接触領域５ｅが接着されることにより、液晶表示モジュール６等の重量が孔５ｃと接触領域５ｅ全体に負荷される。また、接触領域５ｅが保持部材３０に面接触した状態で固定される。このため、保持部材３０の位置ずれを防ぐとともに、より安定して液晶表示モジュール６等を保持することができる。
【００４３】
また、本実施形態における液晶表示装置１は、粘着シート５の領域ＢＭが光を透過させないことにより、液晶表示モジュール６からの光漏れを防ぐことができる。
【００４４】
なお、保持部材３０は上記の構成に限られず、液晶表示モジュール６の下面を保持する部材であれば、その他の構成であってもよい。例えば、保持部材３０は、樹脂等でできた樹脂フレーム３１のみ、あるいは、下フレーム３２のみ、またはこれらの組み合わせであってもよい。また、樹脂フレーム３１や下フレーム３２に代えて、形状を付与した反射シート２９を保持部材３０として用いても良い。このような構成を用いる場合は、反射シート２９に、フック３３を設ければよい。
【００４５】
また、フック３３の形状はかぎ状に限られず、取付領域５ｂを掛止できるのであれば、柱状など、その他の形状であってもよい。また、フック３３は、下フレーム３２に設けられるのみならず、樹脂フレーム３１に設けられていてもよい。このような構成を採用する場合、フック３３が設けられた位置に対応して下フレーム３２に穴を設けることにより、樹脂フレーム３１のフック３３が下フレーム３２の内側から穴に嵌合し、下フレーム３２の外側に突出する。これにより、樹脂フレーム３１と下フレーム３２も固定され、上記第１の実施形態の液晶表示装置１と同様の効果を得ることができる。
【００４６】
次いで、本発明の第２の実施形態に係る液晶表示装置１について図６に基づいて説明する。図６は本発明の第２の実施形態に係る液晶表示装置１のＩＩＩ−ＩＩＩ切断線に対応する切断線における概略断面図である。本実施形態においては、保持部材３０の突出部３１ａの上面３１ａ１が、固定領域５ａの下面５ａ２に接着される点が、第１の実施形態と異なっている。よって、以下においては、突出部３１ａと固定領域５ａの接着に関連する構成について説明し、第１の実施形態における液晶表示装置１と同様の構成についてはその説明を省略する。
【００４７】
本実施形態における樹脂フレーム３１の突出部３１ａは、液晶表示モジュール６と取付領域５ｂとの間において上方に突出している。また、その上面３１ａ１は、粘着シート５の固定領域５ａの下面５ａ２に接する高さで形成されている。具体的には例えば、突出部３１ａの高さは、タッチパネル８と第１接着層４１と液晶表示パネル１０と第２接着層４２の厚さの合計と同じとなる。
【００４８】
粘着シート５の固定領域５ａの下面を下面５ａ２とする。本実施形態における突出部３１ａの上面３１ａ１は、下面５ａ２に接着されている。上面３１ａ１と下面５ａ２を接着する方法は、下面５ａ２に粘着性を付与する方法に限られず、上面３１ａ１と下面５ａ２の間に両面テープを配置する方法や、ＵＶ硬化樹脂を配置する方法を用いてもよい。
【００４９】
本実施形態における液晶表示装置１は、保持部材３０の一部である樹脂フレーム３１の突出部３１ａが液晶表示モジュール６と取付領域５ｂとの間において上方に突出し、その上面３１ａ１が粘着シート５の下面５ａ２に接着されていることにより、液晶表示モジュール６等の重量は、取付領域５ｂと上面３１ａ１の両方を介して保護板４に負荷される。このため、本構成を有さない液晶表示装置と比べ、液晶表示モジュール６等を安定して保持することができる。
【００５０】
また、本実施形態における液晶表示装置１は、本構成を有することにより、保護板４の上部から加えられた力は、タッチパネル８の上面８ａと突出部３１ａの上面３１ａ１によって支えられる。これにより保護板４に加えられた力が局所的に集中することが防がれるため、保護板４の破損が抑えられる。また、液晶表示モジュール６の側面が突出部３１ａによって覆われるため、タッチパネル８や液晶表示パネル１０の位置ずれの発生を抑えることができる。
【００５１】
なお、突出部３１ａは、樹脂フレーム３１に設けられた構成のみならず、液晶表示モジュール６と取付領域５ｂとの間において上方に突出し、その上面３１ａ１が固定領域５ａに接着されるものであれば、保持部材３０の他の部分に設けられたものであってもよい。
【００５２】
次いで、本発明の第３の実施形態に係る液晶表示装置１について図７，８に基づいて説明する。図７は本発明の第３の実施形態に係る液晶表示装置１のＩＩＩ−ＩＩＩ切断線に対応する切断線における概略断面図であり、図８は第３の実施形態に係る粘着シート５及び液晶表示パネル１０を下側から見た概略平面図である。
【００５３】
本実施形態においては、液晶表示モジュール６がタッチパネル８を有さず、液晶表示モジュール６の上面６ａ（上偏光板１６の上面１６ａ）が保護板４の下面４ａに接着され、粘着シート５の固定領域５ａが、保護板４の下面４ａのうち、液晶表示モジュール６の上面６ａの外周６ａ１と取付領域５ｂとの間に配置される点が、第１の実施形態と異なっている。よって、以下においては、液晶表示モジュール６と、粘着シート５に関連する構成について説明し、第１の実施形態における液晶表示装置１と同様の構成についてはその説明を省略する。
【００５４】
本実施形態における液晶表示モジュール６は、液晶表示パネル１０とバックライト２０からなり、その上面６ａ（上偏光板１６の上面１６ａ）は、第１接着層４１によって、保護板４の下面４ａの表示領域Ｄに対応する領域に接着されている。
【００５５】
本実施形態における粘着シート５の固定領域５ａは、保護板４の下面４ａのうち、液晶表示モジュール６の上面６ａの外周６ａ１と取付領域５ｂとの間に配置されている。固定領域５ａの上面５ａ１には粘着性が付与され、保護板４の下面４ａに接着されている。また、粘着シート５は、接触領域５ｅにも粘着性が付与されていることが好ましい。このような構成を有することにより、接触領域５ｅは側面３２ｂに接着される。
【００５６】
また、両面全体に粘着性が付与された粘着シート５を用いる場合は、取付領域５ｂの外側の領域が非粘着性のシート５０により覆われていることが好ましい。これにより、付着物が取付領域５ｂの外側の領域に付着することを防ぐことができる。
【００５７】
本実施形態における液晶表示装置１は、液晶表示モジュール６の上面６ａが保護板４の下面４ａに接着され、粘着シート５の固定領域５ａは、保護板４の下面４ａのうち、液晶表示モジュール６の上面６ａの外周６ａ１と取付領域５ｂとの間に配置される。このような構成を有することにより、液晶表示パネル１０と保持部材３０の重量は、液晶表示モジュール６の上面６ａと粘着シート５の固定領域５ａに負荷される。このため、本構成を有さない液晶表示装置と比べ、第２接着層４２に負荷される重量が低減し、液晶表示パネル１０と保持部材３０が第２接着層４２から剥がれることを防ぐことができる。
【００５８】
次いで、本発明の第４の実施形態に係る液晶表示装置１について図９に基づいて説明する。図９は本発明の第４の実施形態に係る液晶表示装置１のＩＩＩ−ＩＩＩ切断線に対応する切断線における概略断面図である。本実施形態においては、保持部材３０の突出部３１ａの上面３１ａ１が、固定領域５ａの下面５ａ２に接着される点が、第３の実施形態と異なっている。よって以下、第３の実施形態における液晶表示装置１と同様の構成についてはその説明を省略する。
【００５９】
本実施形態における樹脂フレーム３１の突出部３１ａは、液晶表示モジュール６と取付領域５ｂとの間において上方に突出している。また、その上面３１ａ１は、粘着シート５の固定領域５ａの下面５ａ２に接する高さで形成されている。また、上面３１ａ１は、粘着シート５の固定領域５ａの下面５ａ２に接着されている。
【００６０】
本実施形態における液晶表示装置１は、突出部３１ａの上面３１ａ１が粘着シート５の固定領域５ａの下面５ａ２に接着されていることにより、液晶表示モジュール６等の重量は、取付領域５ｂと上面３１ａ１の両方を介して保護板４に負荷される。このため、本構成を有さない液晶表示装置と比べ、液晶表示モジュール６等を安定して保持することができる。
【００６１】
また、保護板４の上部から力が付加されても、保護板４に付加された重量はタッチパネル８の上面８ａに加え、突出部３１ａの上面３１ａ１によっても支えられるため、保護板４の破損が抑えられる。また、液晶表示モジュール６の側面が突出部３１ａによって覆われるため、タッチパネル８や液晶表示パネル１０の位置ずれの発生を抑えることができる。
【００６２】
以上、本発明の実施形態を説明してきたが、本発明は、上述した実施形態には限られない。例えば、上述した実施形態で説明した構成は、実質的に同一の構成、同一の作用効果を奏する構成、又は同一の目的を達成することができる構成により置き換えてもよい。
【符号の説明】
【００６３】
１  液晶表示装置、  ２ａ  第１のフレキシブル回路基板、  ２ｂ  第２のフレキシブル回路基板、  ３  駆動ドライバ、  ４  保護板、  ４ａ  下面、  ５  粘着シート、  ５ａ  固定領域、  ５ａ１  上面、  ５ａ２  下面、  ５ｂ  取付領域、  ５ｂ１  第１の取付領域、  ５ｂ２  第２の取付領域、  ５ｂ３  第３の取付領域、  ５ｃ  孔、  ５ｄ  境界、  ５ｅ  接触領域、  ６  液晶表示モジュール、  ８  タッチパネル、  ８ａ  上面、  ８ｂ  下面、  １０  液晶表示パネル、  １２  第１基板、  １４  第２基板、  １４ａ  上面、  １６  上偏光板、  １６ａ  上面、  １８  下偏光板、  ２０  バックライト、  ２６  光学シート、  ２７  発光素子、  ２８  導光板、  ２９  反射シート、  ３０  保持部材、  ３１  樹脂フレーム、  ３１ａ  突出部、  ３１ａ１  上面、  ３１ｂ  発光素子収納部、  ３２  下フレーム、  ３２ａ  底面、  ３２ｂ  側面、  ３３  フック、  ４１  第１接着層、  ４２  第２接着層、  Ｄ  表示領域、  ｈ  高さ、  ５０  非粘着シート。
【図１】
2014115588.tif 000003
【図２】
2014115588.tif 000004
【図３】
2014115588.tif 000005
【図４】
2014115588.tif 000006
【図５】
2014115588.tif 000007
【図６】
2014115588.tif 000008
【図７】
2014115588.tif 000009
【図８】
2014115588.tif 000010
【図９】
2014115588.tif 000011